(57)【要約】【課題】陳列台からピアスホルダを容易に着脱することができ、従来のような取付・取外作業における煩雑さを解消することができる陳列用具を提供する。【解決手段】陳列用具は、ピアスＰが保持されるピアスホルダ２と、このピアスホルダ２が取り付けられる陳列台とから構成され、ピアスホルダ２は、ピアスＰを保持する保持片３ａと、この保持片３ａの上端部から当該保持片３ａに対して直交するように延設された支持片３ｂと、保持片３ａの裏面に貼付された磁石５とからなり、磁石５が陳列台の被係着部材１２に着磁することで、ピアスホルダ２が被係着部材１２に係着され、当該ピアスホルダ２が陳列台に取り付けられる。【選択図】図４
2015006296.tif 000002
【特許請求の範囲】
【請求項１】
陳列物を保持するホルダと、該ホルダが取り付けられる強磁性又は常磁性を具備した被係着部を備えた陳列台とからなる陳列用具であって、
前記ホルダは、
前記陳列物を保持する保持部が形成された板体と、
前記板体の一方面に取り付けられた少なくとも１つの磁石とからなり、
前記ホルダは、前記磁石が被係着部に着磁力によって係着することで、陳列台に取り付けられるように構成されていることを特徴とする陳列用具。
【請求項２】
前記陳列台の被係着部が帯状の部材からなり、
前記板体は、前記保持部が形成された保持片と、該保持片の一端部から、前記保持片に対して直交するように延設された支持片とからなり、
前記磁石は、前記保持片及び支持片における一方面の内、少なくとも一方に取り付けられていることを特徴とする請求項１記載の陳列用具。
【請求項３】
前記板体は、前記支持片の端部の内、その少なくとも一部から、前記支持片と直交し、且つ一方面が前記保持片の一方面と対向するように延設された突出片を備えていることを特徴とする請求項２記載の陳列用具。
【請求項４】
前記突出片は、その一方面に付勢部材が設けられており、
前記ホルダは、前記保持片と前記突出片との間で前記陳列台の被係着部に係着した状態において、前記付勢部材によって突出片が陳列台の被係着部から離反する方向に付勢された状態となるように構成されていることを特徴とする請求項３記載の陳列用具。
【請求項５】
前記板体は、前記磁石が取り付けられた部分と前記保持部との間に直線状の折れ曲がり部が形成されており、前記保持部が前記折れ曲がり部を起点に前記磁石に対して揺動自在であることを特徴とする請求項１乃至４記載のいずれかの陳列用具。
【発明の詳細な説明】
【技術分野】
【０００１】
本発明は、アクセサリなどの陳列物を陳列するための陳列用具に関する。
【背景技術】
【０００２】
従来から、指輪や、首飾り、耳飾りといったアクセサリ（陳列物）などを取り扱う店舗においては、多数の陳列物を種々の方法で陳列するようにしている。
【０００３】
上記陳列方法の１つとして、台紙などに陳列物を保持させ、この台紙を陳列台に取り付ける陳列方法があり、イヤリングやピアスなどの耳飾りに関しては、これらが通常２個一組で使用される比較的小さなアクセサリであるため、店舗に陳列する場合には、一般的に、この台紙を用いた陳列方法が採用されている。
【０００４】
そして、上記のように、耳飾りを保持する台紙としては、例えば、実用新案登録第３１０６９０１号公報に開示されたピアス用の展示具が提案されている。このピアス用の展示具について、図１２（ａ）を参照して説明する。
【０００５】
このピアス用の展示具１００は、矩形状に形成されたパネル１０１と、このパネル１０１の上縁の裏面側に設けられた断面視Ｌ字形状の支え部１０２と、パネル１０１に設けられた差込孔１０３などから構成されており、この展示具１００は、差込孔１０３に表面側からピアス１０５の針１０６を差し込み、裏面側に突出した針１０６にキャッチ１０７を嵌合させることで、ピアス１０５を保持するようになっている。そして、この展示具１００は、支え部１０２を展示台に設けられた帯状部材１１０などに係止させることで、図１２（ａ）に示すように、ピアス１０５を保持した状態で展示台に取り付けることができるようになっている。
【先行技術文献】
【特許文献】
【０００６】
【特許文献１】実用新案登録第３１０６９０１号公報
【発明の概要】
【発明が解決しようとする課題】
【０００７】
ところが、上記展示具１００のように、支え部１０２などを帯状部材１１０などに係止させて、展示具１００を展示台に取り付けるようにした場合、展示具１００の取付・取外作業が煩雑なものになるという問題があり、特に、陳列物がパネル１０１の裏面側にその一部が突出した状態で保持されるものである場合には、取付・取外作業が極めて煩雑になるため大きな問題となる。
【０００８】
即ち、上記展示具１００においては、図１２（ａ）に示すように、パネル１０１にピアス１０５を保持させた場合に、ピアス１０５の針１０６が支え部１０２の下方近傍に位置しており、支え部１０２の先端と針１０６との間の隙間が狭くなっている。したがって、支え部１０２を帯状部材１１０に係止させ難く、展示台への展示具１００の取付作業が煩雑なものになるという問題がある。
【０００９】
また、図１２（ｂ）に示すように、展示具１００を取り外すために、帯状部材１１０に係止させた支え部１０２を上側に持ち上げた際、ピアス１０５の針１０６やキャッチ１０７が帯状部材１１０に引っ掛かるため、展示台からの展示具１００の取外作業も煩雑なものになる。
【００１０】
このように、従来の展示具１００は、例えば、購入予定者が購入を検討するに際して、ピアスを手に取り、これを見ようとした場合に、ピアス１０５が保持されたパネル１０１を展示台から取り外し難く、更に、取り外したパネル１０１を元の位置に戻し難いものとなっている。
【００１１】
本発明は以上の実情に鑑みなされたものであり、陳列物を保持するホルダを容易に着脱することでき、従来のような取付・取外作業における煩雑さを解消することができる陳列用具の提供を、その目的とする。
【課題を解決するための手段】
【００１２】
上記課題を解決するための本発明は、
陳列物を保持するホルダと、該ホルダが取り付けられる強磁性又は常磁性を具備した被係着部を備えた陳列台とからなる陳列用具であって、
前記ホルダは、
前記陳列物を保持する保持部が形成された板体と、
前記板体の一方面に取り付けられた少なくとも１つの磁石とからなり、
前記ホルダは、前記磁石が被係着部に着磁力によって係着することで、陳列台に取り付けられるように構成されている陳列用具に係る。
【００１３】
この陳列用具によれば、板体の保持部に陳列物を保持させた後、板体に取り付けられた磁石を陳列台の被係着部に着磁させ、前記ホルダを被係着部に係着させることで、当該ホルダが陳列台に取り付けられる。また、陳列台に取り付けられたホルダを着磁力よりも大きな力でもって引っ張ることで、このホルダが陳列台から取り外される。
【００１４】
このように、本発明に係る陳列用具においては、着磁力によってホルダを陳列台に取り付けることができるため、従来のように、支え部などを帯状部材に係止させる必要もなく、陳列台へのホルダの取付作業が簡単なものになり、また、ホルダが着磁力のみで陳列台に取り付けられているため、取り外しも容易に行うことができる。
【００１５】
尚、陳列台の被係着部としては、例えば、帯状の部材や板状の部材などを例示することができ、これらの部材を強磁性又は常磁性の金属から構成することで被係着部に強磁性又は常磁性を付与するようにしても良いし、これらの部材に薄板状の磁石を貼付することで強磁性又は常磁性を付与するようにしても良い。また、磁石と被係着部との間に作用する着磁力が、被係着部からホルダが自然に脱落しない程度の力、且つ取り外しが困難とならない程度の力となるように、磁石の材質などを適宜選択することが好ましい。
【００１６】
また、上記陳列用具において、陳列台の被係着部が帯状の部材からなる場合には、前記板体は、前記保持部が形成された保持片と、この保持片の端部から、前記保持片に対して直交するように延設された支持片とからなり、前記磁石は、前記保持片及び支持片における一方面の内、少なくとも一方に取り付けられた構成とすることが好ましい。
【００１７】
この場合、保持片及び支持片の内の少なくとも一方に取り付けられた磁石を帯状の被係着部に着磁させることで、ホルダを陳列台に取り付けることができる。尚、保持片に磁石を取り付けるようにした場合には、磁石を被係着部に着磁させるとともに、支持片を被係着部に当接させることにより、陳列台に取り付けられたホルダの姿勢が安定化される一方、支持片に磁石を取り付けるようにした場合には、磁石を被係着部に着磁させるとともに、保持片を被係着部に当接させることにより、ホルダの姿勢が安定化される。
【００１８】
そして、保持片及び支持片の両方に磁石を取り付けるようにした場合には、被係着部に対して直交する二面が着磁するようになるため、陳列台に取り付けられたホルダの姿勢がより安定化される。
【００１９】
また、上記陳列用具における板体は、前記支持片の端部の内、その少なくとも一部から、前記支持片と直交し、且つ一方面が前記保持片の一方面と対向するように延設された突出片を備えた構成としても良い。
【００２０】
このように、突出片を設けることで、保持片が被係着部から離反する方向に向けて、ホルダ全体がずれたとしても、突出片に被係着部が当接することによって、ホルダの脱落を防止することができる。
【００２１】
尚、突出片の一方面には付勢部材を設け、前記ホルダは、保持片と突出片との間に、付勢部材によって突出片が陳列台の被係着部から離反する方向に付勢された状態で係着させるようにすることが好ましい。このようにすれば、付勢部材によって突出片が被係着部から離反する方向、言い換えれば、保持片又は保持片に取り付けられた磁石が被係着部に押し付けられる方向に付勢された状態となるため、保持片又は保持片に取り付けられた磁石と被係着部とが確実に当接するようになり、陳列台に取り付けられたホルダの姿勢をより確実に安定させることができる。また、ホルダが被係着部に対して３方向から接することになるため、ホルダの姿勢をより安定化することができる。
【００２２】
また、前記板体は、前記磁石が取り付けられた部分と前記保持部との間に直線状の折れ曲がり部が形成されており、前記保持部が前記折れ曲がり部を起点に前記磁石に対して揺動自在となるように構成するようにしても良い。
【００２３】
このようにすれば、陳列台に取り付けられた状態のホルダに対して、何らかの予期せぬ外力が作用したとしても、折れ曲がり部を起点に板体の保持部が形成されている側が磁石に対して揺動することによって、かかる外力が吸収され、磁石に対して作用する外力が低減されるため、磁石が被係着部から外れるのを防止することができる。
【発明の効果】
【００２４】
以上のように、本発明に係る陳列用具によれば、ホルダを容易に陳列台に対して着脱することができ、販売者や購入予定者が取付・取外作業を行う際の煩雑さを解消することができる。
【図面の簡単な説明】
【００２５】
【図１】本発明の一実施形態に係る陳列用具の概略構成を示した正面図である。
【図２】本発明の一実施形態に係るピアスホルダを示した斜視図である。
【図３】（ａ）は、ピアスホルダを示した側面図であり、（ｂ）は、矢示Ａ方向から見た背面図である。
【図４】一実施形態に係るピアスホルダを被係着部材に係着させた際の状態を示した斜視図である。
【図５】本発明の他の実施形態に係る陳列用具におけるピアスホルダを被係着部材に係着させた状態を示した斜視図である。
【図６】（ａ）は、本発明の他の実施形態に係る陳列用具におけるピアスホルダを示した側面図であり、（ｂ）は、矢示Ｂ方向から見た背面図である。
【図７】他の実施形態に係るピアスホルダを被係着部材に係着させた際の状態を示した斜視図である。
【図８】本発明の他の実施形態に係る陳列用具におけるピアスホルダを示した側面図である。
【図９】（ａ）は、本発明の他の実施形態に係るピアスホルダを示した部分拡大図であり、（ｂ）は、このピアスホルダを被係着部材に係着させた状態を示した図である。
【図１０】（ａ）は、本発明の他の実施形態に係るピアスホルダを示した側面図であり、（ｂ）は、矢示Ｃ方向から見た背面図である。
【図１１】外力が作用した際の図１０に示すピアスホルダの状態を示した図である。
【図１２】（ａ）は、従来の展示具を帯状部材に係止させた状態を示した図であり、（ｂ）は、展示具を帯状部材から取り外す際の状態を示した図である。
【発明を実施するための形態】
【００２６】
以下、本発明の具体的な実施の形態について、陳列物としてピアスを採用した場合を例にとって、図面を参照しつつ説明する。
【００２７】
図１に示すように、本例の陳列用具１は、ピアスＰが保持されるピアスホルダ２と、このピアスホルダ２が取り付けられる陳列台１０とからなる。
【００２８】
前記ピアスホルダ２は、図２及び図３に示すように、ピアスＰを保持する保持片３ａ及びこの保持片３ａの上端部から当該保持片３ａに対して直交するように延設された支持片３ｂからなる断面視Ｌ字形状の板体３と、前記保持片３ａの一方面（裏面）に貼付された磁石５とから構成されている。
【００２９】
前記板体３の保持片３ａには、その表裏面を貫通した保持部としての貫通孔４が形成されており、この貫通孔４に表面側からピアスＰの針部Ｐ１を差し込み、裏面側に突出した針部Ｐ１に留め具を取り付けることで、図２に示すように、ピアスＰをピアスホルダ２に保持することができるようになっている。
【００３０】
尚、前記板体３の素材としては、プラスチックや紙などを例示することができ、加工のし易さや要求される強度、耐久性などに応じて適宜選択することが好ましい。また、前記板体３は、一枚の板を加工することで作成するようにしても良いし、二枚の板を繋ぎ合せて作成するようにしても良い。
【００３１】
前記陳列台１０は、２本の主柱１１，１１と、当該主柱１１，１１間に架け渡された帯状の被係着部材１２とからなり、前記被係着部材１２は、鉄などの強磁性を有する材料から構成された断面形状が長方形状の部材である。
【００３２】
この陳列用具１においては、図４に示すように、ピアスホルダ２にピアスＰが保持された状態で、保持片３ａに貼付された磁石５を前記被係着部材１２に着磁させ、ピアスホルダ２を被係着部材１２に係着させることで、ピアスホルダ２が陳列台１０に取り付けられる。尚、磁石５を被係着部材１２に着磁させた際に、支持片３ｂの下面は被係着部材１２に当接し、陳列台１０に取り付けられたピアスホルダ２の姿勢が安定に保たれるようになっている。一方、陳列台１０に取り付けられたピアスホルダ２は、前記着磁力よりも強い力でもって陳列台１０から離反する方向に引っ張ることで取り外される。
【００３３】
尚、前記磁石５は、当該磁石５を被係着部材１２に着磁させた際の両者の間に作用する着磁力が、被係着部材１２からピアスホルダ２が自然落下しない程度の力、且つ陳列台１０からのピアスホルダ２の取り外しが困難とならない程度の力となるように、材質や大きさなどを適宜選択することが好ましい。
【００３４】
このように、陳列用具１によれば、従来のように、被係着部材１２にピアスホルダ２の一部を引っ掛けるという煩雑な作業を行うことなく、ピアスホルダ２を容易に陳列台１０に取り付けることができる。また、ピアスホルダ２が被係着部材１２に引っ掛かった状態で、陳列台１０に取り付けられているわけではないため、単にピアスホルダ２に着磁力以上の力を加えるだけで、陳列台１０からピアスホルダ２を容易に取り外すことができる。
【００３５】
以上、本発明の具体的な実施形態について説明したが、本発明の採り得る態様は何らこれに限られるものではない。
【００３６】
例えば、上例においては、板体３が保持片３ａと支持片３ｂとからなる構成を採用したが、磁石５と被係着部材１２との間に、ピアスホルダ２の姿勢が十分安定に保たれるだけの着磁力が作用する場合などには、支持片３ｂを設けなくとも良い。
【００３７】
また、上例においては、被係着部材１２として帯状の部材を採用したが、必ずしもこのような形状である必要はなく、板状の部材を採用するようにしても良いし、突起状の部材を採用するようにしても良い。このようにしても、この板状又は突起状の被係着部材に磁石５を着磁力によって係着させることで、ピアスホルダ２を陳列台１０に容易に取り付けることができる。
【００３８】
また、上例においては、陳列台１０の被係着部材１２を強磁性を有する金属から構成するようにしているが、これに限られるものではなく、被係着部材１２をプラスチックなどで構成し、その表面に薄板状の磁石１５を貼付するようにしても良い。このようにしても、図５に示すように、被係着部材１２の磁石１５と保持片３ａの磁石５’とを着磁させることで、ピアスホルダ２を陳列台１０に取り付けることができ、陳列台１０からのピアスホルダ２の取り外しも容易に行うことができる。
【００３９】
また、上例におけるピアスホルダ２は、保持片３ａの裏面に磁石５を貼付した構成としたが、支持片３ｂの下面に磁石を貼付するようにしても良い。このようにすれば、被係着部材１２の上面の幅を大きくし、当該上面に磁石を着磁させることで、ピアスホルダが安定した状態で係着されるため、被係着部材１２の前面の幅を小さくすることができ、外観を良くすることができる。
【００４０】
更に、保持片３ａの裏面及び支持片３ｂの下面それぞれに磁石を貼付するようにしても良い。これについて、図６及び図７を参照して説明する。尚、図６は、他の実施形態に係る陳列用具のピアスホルダ２０を示した図であり、図７は、ピアスホルダ２０を陳列台２５に取り付けた状態を示した図である。
【００４１】
図６に示すように、このピアスホルダ２０における板体２１は、保持片２１ａ、支持片２１ｂ及び支持片２１ｂの端部下面の中央から下方に向けて延設された突出片２１ｃからなり、保持片２１ａには表裏面に貫通した貫通孔２２が形成され、保持片２１ａの裏面には磁石２３が貼付され、支持片２１ｂの下面には磁石２４が貼付されている。尚、突出片２１ｃの下方向への長さは、当該ピアスホルダ２０に保持されたピアスＰの針部Ｐ１と突出片２１ｃの下端部との間に十分な隙間が確保され、且つ磁石２３，２４を被係着部材１２に着磁させた際に、突出片２１ｃにおける保持片２１ａと対向する面（裏面）と被係着部材１２の一部とが対向する程度の長さとしている。
【００４２】
このピアスホルダ２０によれば、保持片２１ａに貼付された磁石２３及び支持片２１ｂに貼付された磁石２４を被係着部材１２における直交する二面にそれぞれに着磁させ、ピアスホルダ２０を被係着部材１２に係着させることで、ピアスホルダ２０が陳列台１０に安定した状態で取り付けられる（図７参照）。その一方、ピアスホルダ２０を着磁力以上の力で引っ張ることにより、陳列台１０からピアスホルダ２０を取り外すことができる。尚、突出片２１ｃを設けたことによって、例えば、大きな外力が作用してピアスホルダ２０が陳列台１０から脱落しそうになったとしても、当該突出片２１ｃの裏面が被係着部材１２に当接することによってその脱落が防止されるようになっている。
【００４３】
また、上記ピアスホルダ２０においては、保持片２１ａ及び支持片２１ｂにそれぞれ磁石２３，２４を設けるようにしているが、図８に示したピアスホルダ２０’のように、保持片２１ａ及び支持片２１ｂの一方面に断面視Ｌ字形状の磁石２４’を貼付するようにしても良い。このようにしても、被係着部材における直交する二面に磁石２４’が着磁するため、ピアスホルダ２０’を陳列台に安定した状態で取り付けることができ、更に、部品点数を削減することができるため、生産コストの低減を図ることができる。
【００４４】
更に、上記ピアスホルダ２０においては、保持片２１ａ及び支持片２１ｂに磁石２３，２４を設けるとともに、突出片２１ｃを設けるようにしたが、例えば、図９（ａ）に示すように、支持片２１ｂの下面にのみ磁石２４を貼付し、突出片２１ｃの裏面に付勢部材としての板バネ２５を設けるようにしても良い。
【００４５】
このように、突出片２１ｃの裏面に板バネ２５を設けることで、図９（ｂ）に示すように、支持片２１ｂの下面に貼付された磁石２４を被係着部材１２に着磁させ、ピアスホルダ２０を被係着部材１２に係着させた際に、板バネ２５による付勢力によって保持片２１ａの裏面が被係着部材１２に押し付けられた状態となり、ピアスホルダ２０の姿勢を安定したものにすることができる。また、ピアスホルダ２０が被係着部材１２に対して３方向から接することになるため、ピアスホルダ２０の姿勢がより安定化される。
【００４６】
尚、付勢部材としては、板バネ２５に限られるものではなく、付勢力によって保持片２１ａの裏面を被係着部材１２に押し付けることができるように構成されているものであればどのようなものであっても良い。
【００４７】
また、ピアスホルダに折れ曲がり部を設けるようにしても良い。これについて図１０及び図１１を参照して説明する。
【００４８】
図１０に示すように、ピアスホルダ２’は、保持片３ａにおける磁石５が取り付けられている部分と貫通孔４との間の表裏面に、折れ曲がり部としての直線状の溝３０が形成されており、当該溝３０を境に、貫通孔４が形成されている側（以下、「保持部側」という）が磁石５が取り付けられている側（以下、「磁石側」という）に対して図１０中の矢印方向に揺動するようになっている。
【００４９】
このピアスホルダ２’によれば、当該ピアスホルダ２’が陳列台１０に取り付けられた状態で、当該ピアスに外力が作用したとしても、図１１に示すように、保持部側が磁石側に対して揺動することでかかる外力が吸収され、磁石５に作用する外力が低減される。したがって、例えば、ピアスホルダ２’に保持されたピアスに物や人がぶつかるなどして、外力が作用したとしても、かかる外力によって磁石５が被係着部材１２から外れて陳列台１０からピアスホルダ２’が脱落するという問題の発生を抑えることができる。
【００５０】
また、ピアスホルダ２０のように、板体が保持片、支持片及び突出片からなる場合には、折れ曲がり部を設けることによって、例えば、ピアスホルダを陳列台の被係着部材から取り外す際に、保持部側を突出片から遠ざかる方向に揺動させることで、ピアスの針部が被係着部材に接触するのを防止した状態で作業を行うことができ、取付作業の際の煩雑さをより解消することができる。
【００５１】
更に、上例においては、ホルダを、耳飾りの一種であるピアスを保持するピアスホルダとしたが、これに限られるものではなく、同様に耳飾りの一種であるイヤリングを保持するイヤリングホルダとしても良いし、指輪や首飾りといった他のアクセサリを含む種々の陳列物を保持するホルダとしても良い。
【符号の説明】
【００５２】
１      陳列用具
２      ピアスホルダ
３      板体
３ａ    保持片
３ｂ    支持片
５      磁石
１０    陳列台
２０    ピアスホルダ
２１    板体
２１ａ  保持片
２１ｂ  支持片
２１ｃ  突出片
２３，２４  磁石
２５    板バネ
３０    溝
Ｐ      ピアス
Ｐ１    針部
【図１】
2015006296.tif 000003
【図２】
2015006296.tif 000004
【図３】
2015006296.tif 000005
【図４】
2015006296.tif 000006
【図５】
2015006296.tif 000007
【図６】
2015006296.tif 000008
【図７】
2015006296.tif 000009
【図８】
2015006296.tif 000010
【図９】
2015006296.tif 000011
【図１０】
2015006296.tif 000012
【図１１】
2015006296.tif 000013
【図１２】
2015006296.tif 000014